(57)【要約】【課題】処理対象ガスの流量（流速）や濃度などの状態量が変動したり、変更された場合でも、ガス処理ユニットのガス処理能力を適切な状態とし、ガス処理能力の過剰、不足によって生じる問題を緩和する。【解決手段】ダクト１を流れる処理対象ガスＧＳに対して、この処理対象ガスＧＳの状態量を検出する状態量検出センサ１９を設ける。例えば、状態量検出センサ１９が検出する処理対象ガスＧＳの現在の状態量を流量（流速）とした場合、制御部１８は、処理対象ガスＧＳの現在の流量（流速）が増大すると、加湿装置１７の加湿量を増大させ、処理対象ガスＧＳの現在の流量（流速）が減少すると、加湿装置１７の加湿量を減少させる。処理対象ガスＧＳの状態量として濃度を検出するようにしてもよい。【選択図】  図１
2012213720.tif 000002
【特許請求の範囲】
【請求項１】
通風路に間隔を設けて配置され、前記通風路を流れる処理対象ガスが通過する多数の貫通孔を有する複数のハニカム構造体と、
前記複数のハニカム構造体のうち隣り合う複数のハニカム構造体を１群のハニカム構造体群とし、このハニカム構造体群の両端に位置するハニカム構造体の両端に位置するハニカム構造体の外側に配置された第１および第２の電極と、
前記第１の電極と前記第２の電極との間に高電圧を印加し前記ハニカム構造体の貫通孔および前記ハニカム構造体間の空間にプラズマを発生させる高電圧源とを備えたガス処理ユニットを前記通風路の入口から出口への処理対象ガスの通過方向に沿って１以上備えたガス処理装置において、
最上流に位置する前記ガス処理ユニットの上流側から水分を供給する水分供給手段と、
前記水分供給手段が供給する水分の供給量を制御する制御手段と、
前記処理対象ガスの現在の状態量を検出する状態量検出手段とを備え、
前記制御手段は、
前記状態量検出手段によって検出された前記処理対象ガスの現在の状態量に応じて前記水分供給手段が供給する水分の供給量を制御する
ことを特徴とするガス処理装置。
【請求項２】
請求項１に記載されたガス処理装置において、
前記状態量検出手段は、
前記処理対象ガスの現在の状態量として流量または流速を検出する
ことを特徴とするガス処理装置。
【請求項３】
請求項１に記載されたガス処理装置において、
前記状態量検出手段は、
前記処理対象ガスの現在の状態量として濃度を検出する
ことを特徴とするガス処理装置。
【発明の詳細な説明】
【技術分野】
【０００１】
この発明は、処理対象ガスに含まれる有害ガスを浄化するガス処理装置に関するものである。
【背景技術】
【０００２】
従来より、排気ガス中で高電圧放電を行ってプラズマ状態を作ることで、排気ガスに含まれる有害ガスの浄化を行う技術が知られている。近年、この技術は、脱臭を目的として、工場の排気を浄化する浄化装置や室内の空気を浄化する空気清浄機に応用されつつある。
【０００３】
熱的に非平衡な状態、つまり気体の温度やイオン温度に比べ、電子温度が非常に高い状態のプラズマ（非平衡プラズマ（以下、単にプラズマと言う））は、電子衝突でつくられるイオンやラジカルが常温では起こらない化学反応を促進させるので、有害ガスを効率的に除去あるいは分解することが可能な媒体として有害ガス処理において有用であると考えられている。この技術の実用化上で肝心なことは、処理時のエネルギーの効率の向上と、プラズマで処理した後に完全に安全な生成物質へと変換されることである。
【０００４】
一般に、大気圧でのプラズマは気体放電や電子ビームなどによって生成される。現在において、適用が考えられているものに、窒素酸化物（ＮＯｘ）、硫黄酸化物（ＳＯｘ）、フロン、ＣＯ2 ，揮発性有機溶剤（ＶＯＣ）などがある。中でもＮＯｘは車の排ガスなどに含まれているので早急な実用化が必要となっている。
【０００５】
ＮＯｘ除去における放電プラズマ（気体放電によって生成されたプラズマ）内の現象は、電子衝突によって１次的に生成されたイオンやラジカルが最初の反応を起こし、その後の反応を通してＮ2 ，Ｈ2 Ｏ，ＮＨ4 ＮＯ3 などの各粒子に変換されて行くものと考えられている。
【０００６】
また、有害ガスを例えばアセトアルデヒドやホルムアルデヒドとした場合、この有害ガスをプラズマを通すことによって、ＣＯ2 とＨ2 Ｏに変換される。この場合、副生成物として、オゾン（Ｏ3 ）が発生する。
【０００７】
図５に放電プラズマを利用した従来のガス処理装置の要部を例示する（例えば、特許文献１参照）。同図において、１は処理対象ガス（有害ガスを含む空気）ＧＳが流れるダクト（通風路）であり、ダクト１内には、ダクト１の入口から出口へ向かう方向に沿って放電電極２とグランド電極３とが交互に配置され、これら電極２，３間にセルと呼ばれる多数の貫通孔４ａを有するハニカム構造体４が配設されている。貫通孔４ａはハニカム構造体４に蜂の巣状に設けられている。５は高電圧電源である。なお、ハニカム構造体４はセラミックス等の絶縁体で形成されており、特許文献２にもその使用例がある。
【０００８】
放電電極２は、金属製メッシュ、極細ワイヤ、または針状体等で形成されている。各放電電極２は、導線６によって高電圧電源５の＋極に接続されている。グランド電極３は、金属性メッシュ等で形成されている。各グランド電極３は、導線７によって高電圧電源５の−極に接続されている。
【０００９】
このガス処理装置では、処理対象ガスＧＳをダクト１に流し、放電電極２とグランド電極３との間に高電圧電源５からの高電圧（数ｋＶ〜数１０ｋＶ）を印加する。これにより、各ハニカム構造体４の貫通孔４ａ内にプラズマが発生し、このプラズマ中に生成されるイオンやラジカルによって、処理対象ガスＧＳに含まれる有害ガスが無害な物質に分解される。
【００１０】
しかしながら、このような構成のガス処理装置では、次のような問題点を有する。
(１)多数のハニカム構造体４を有するが、ばらつきなく均一なプラズマを発生させる技術が確立されておらず、ハニカム構造体４の性能にばらつきが出てしまう。例えば、同じハニカム構造体４同士でもインピータンス値が異なることがあり、また１つのハニカム構造体４内でも例えばその上下でインピーダンス値が異なるというようなこともあり、全体として均一なプラズマが発生せず、ガス処理能力が不安定となる。また、貫通孔４ａだけでのプラズマ発生なので、プラズマの発生量が少なく、ガス処理能力が低い。
(２)ハニカム構造体４は吸湿すると低インピーダンスに、乾燥すると高インピーダンスになる特性を持っており、ハニカム構造体４が低インピーダンスになると、流れる電流が増大し放電電極２とグランド電極３との間に印加される高電圧値が低下し、ハニカム構造体４が高インピーダンスになると、流れる電流が減少し放電電極２とグランド電極３との間に印加される高電圧値が上昇する。このような高電圧値の変化に対し、所望のプラズマの発生量を確保し得る高電圧値を得ることのできる高電圧電源５は、その設計に要する工数も含めて非常に高価となる。
(３)ハニカム構造体４のそれぞれに対して放電電極２とグランド電極３を設けているため、部品点数が多く、構造も複雑となり、高価となる。
【００１１】
そこで、本出願人は、上述した従来のガス処理装置の問題点を解決するものとして、図６に示すような構造のガス処理装置を提案した（特許文献３参照）。このガス処理装置では、ダクト１の入口から出口への処理対象ガスＧＳの通過方向に沿って、多数の貫通孔（セル（丸孔））８ａを有する複数のハニカム構造体８を間隔を設けて配置している。この例では、ハニカム構造体８−１と８−２との間に間隔Ｇ１を設けて、ハニカム構造体８−３と８−４との間に間隔Ｇ２を設けて、ハニカム構造体８−１〜８−４をダクト１内に配置している。
【００１２】
なお、ハニカム構造体８−１と８−２とは第１のハニカム構造体群８Ａを構成し、この第１のハニカム構造体群８Ａの両端に位置するハニカム構造体８−１および８−２の外側に、第１の電極として電極９が配置され、第２の電極として電極１０が配置されている。また、ハニカム構造体８−３と８−４とは第２のハニカム構造体群８Ｂを構成し、この第２のハニカム構造体群８Ｂの両端に位置するハニカム構造体８−３および８−４の外側に、第１の電極として電極１０が配置され、第２の電極として電極１１が配置されている。電極９〜１１は処理対象ガスＧＳが通過するように金属製メッシュとされている。
【００１３】
第１のハニカム構造体群８Ａにおいて、第１の電極９と第２の電極１０との間に導線１２，１３を介して高電圧電源（高電圧源）１５−１からの高電圧Ｖ１を印加することにより、また、第２のハニカム構造体群８Ｂにおいて、第１の電極１０と第２の電極１１との間に導線１３，１４を介して高電圧電源（高電圧源）１５−２からの高電圧Ｖ２を印加することにより、ハニカム構造体８の貫通孔８ａおよびハニカム構造体８間の空間１６（１６−１，１６−２）にプラズマが発生し、このプラズマ中に生成されるイオンやラジカルによって、処理対象ガスＧＳに含まれる有害ガスが無害な物質に分解される。
【先行技術文献】
【特許文献】
【００１４】
【特許文献１】特開２０００−１４０５６２号公報
【特許文献２】特開２００１−２７６５６１号公報
【特許文献３】特開２００８−１９４６７０号公報
【特許文献４】特開２００４−０８９７０８号公報
【発明の概要】
【発明が解決しようとする課題】
【００１５】
しかしながら、図６に示したガス処理装置では、次のような問題を有する。このガス処理装置において、処理対象ガスＧＳ中の水分（湿度）に着目すると、処理対象ガスＧＳは上流側のハニカム構造体８から下流側のハニカム構造体８に向かって流れて行く過程で、各ハニカム構造体８で発生したプラズマ放電によって処理を受けるが、処理を受ける度に処理対象ガスＧＳ中に含まれる水分が消費されるので、処理対象ガスＧＳは上流側から下流側にかけて湿度が低下した状態となる。また、ハニカム構造体８の内部のでプラズマの発生状態は処理対象ガスＧＳ中の水分が多いほど活発に行われ、水分が少なくなると抑制される特性がある。
【００１６】
このため、第１のハニカム構造体群８Ａ側を第１のガス処理ユニットＧＵ１とし、第２のハニカム構造体群８Ｂ側を第２のガス処理ユニットＧＵ２とした場合、仮に全てのハニカム構造体８の特性が同じであっても、第１のガス処理ユニットＧＵ１よりも第２のガス処理ユニットＧＵ２の方がプラズマの発生量が小さく、ガス処理能力が落ちる。図６には、ガス処理ユニット（ＧＵ）を２つとした例が示されているが、ガス処理ユニットがさらに設けられているものとすれば、下流側へ配置されるガス処理ユニットほどプラズマの発生量が小さく、ガス処理能力が落ちて行く。
【００１７】
複数のガス処理ユニットのガス処理能力に大きな格差があると、ガス処理能力が過剰なガス処理ユニットとガス処理能力が不足するガス処理ユニットとが存在するということになり、全体としてのガス処理効率が落ちるとともにオゾンの発生の度合いも高まり、望ましくない。
【００１８】
なお、特許文献４には、金属電極とハニカム電極との間の空間へ加湿装置によって水分を送り込むことにより、処理対象ガス中の水分濃度を高め、プラズマ放電を活性化させてガス浄化能力を高めるようにしたガス浄化装置が示されている。
【００１９】
しかしかながら、この特許文献４に示された技術を図６に示したガス処理装置に適用した場合、加湿装置によって送り込む水分量を制御していないので、処理対象ガスの流量やガス濃度が変動したり、変更された場合に、ガス処理ユニットのガス処理能力を適切なレベルに修正することができない。その結果、供給する水分量が過少であればプラズマ放電の発生状況が不充分でガス処理能力が不足する一方、供給する水分量が過多であれば放電が激しくなり火花放電のような異常放電が発生したり、放電によって発生するオゾン量も大となる。
【００２０】
本発明は、このような課題を解決するためになされたもので、その目的とするところは、処理対象ガスの流量（流速）や濃度などの状態量が変動したり、変更された場合でも、ガス処理ユニットのガス処理能力を適切な状態とし、ガス処理能力の過剰、不足によって生じる問題を緩和することが可能なガス処理装置を提供することにある。
【課題を解決するための手段】
【００２１】
このような目的を達成するために本発明は、通風路に間隔を設けて配置され、通風路を流れる処理対象ガスが通過する多数の貫通孔を有する複数のハニカム構造体と、複数のハニカム構造体のうち隣り合う複数のハニカム構造体を１群のハニカム構造体群とし、このハニカム構造体群の両端に位置するハニカム構造体の両端に位置するハニカム構造体の外側に配置された第１および第２の電極と、第１の電極と第２の電極との間に高電圧を印加しハニカム構造体の貫通孔およびハニカム構造体間の空間にプラズマを発生させる高電圧源とを備えたガス処理ユニットを通風路の入口から出口への処理対象ガスの通過方向に沿って１以上備えたガス処理装置において、最上流に位置するガス処理ユニットの上流側から水分を供給する水分供給手段と、水分供給手段が供給する水分の供給量を制御する制御手段と、処理対象ガスの現在の状態量を検出する状態量検出手段とを備え、制御手段は、状態量検出手段によって検出された処理対象ガスの現在の状態量に応じて水分供給手段が供給する水分の供給量を制御することを特徴とする。
【００２２】
この発明において、状態量検出手段は、処理対象ガスの現在の状態量を検出する。例えば、処理対象ガスの現在の状態量として流量（流速）を検出したり、濃度を検出したりする。制御手段は、検出された処理対象ガスの現在の状態量に応じて、水分供給手段が供給する水分の供給量を制御する。
【００２３】
例えば、本発明において、処理対象ガスの流量（流速）が変動して増大した場合、水分の供給量を増加させると、ガス処理ユニットのガス処理能力を増大させることができ、ガス処理ユニットの処理能力の不足を回避することが可能となる。また、処理対象ガスの流量（流速）が変動して減少した場合、水分の供給量を減少させると、ガス処理ユニットのガス処理能力を低下させることができ、ガス処理ユニットの処理能力の過剰を回避することが可能となる。
【００２４】
例えば、本発明において、処理対象ガスの濃度が変動して高濃度となった場合、水の供給量を増加させると、ガス処理ユニットのガス処理能力を増大させることができ、ガス処理ユニットの処理能力の不足を回避することが可能となる。また、処理対象ガスの濃度が変動して低濃度となった場合、水の供給量を減少させると、ガス処理ユニットのガス処理能力を低下させることができ、ガス処理ユニットの処理能力の過剰を回避することが可能となる。
【発明の効果】
【００２５】
本発明によれば、処理対象ガスの現在の状態量を検出するようにし、この検出された処理対象ガスの現在の状態量に応じて水分の供給量を制御するようにしたので、処理対象ガスの流量（流速）や濃度などの状態量が変動したり、変更された場合でも、ガス処理ユニットのガス処理能力を適切な状態とし、ガス処理能力の過剰、不足によって生じる問題を緩和することが可能となる。
【図面の簡単な説明】
【００２６】
【図１】本発明に係るガス処理装置の一実施の形態の要部を示す図である。
【図２】このガス処理装置における制御部が有するガス処理ユニットの消費電力に基づく加湿量の調整機能を説明するためのフローチャートである。
【図３】このガス処理装置における制御部が有する処理対象ガスの状態量（状態量を流量（流速）とした場合）に基づく加湿量の調整機能を説明するためのフローチャートである。
【図４】このガス処理装置における制御部が有する処理対象ガスの状態量（状態量を濃度とした場合）に基づく加湿量の調整機能を説明するためのフローチャートである。
【図５】放電プラズマを利用した従来のガス処理装置の要部を例示する図である。
【図６】特許文献３に示されたガス処理装置の要部を示す図である。
【発明を実施するための形態】
【００２７】
以下、本発明の実施の形態を図面に基づいて詳細に説明する。
【００２８】
図１はこの発明に係るガス処理装置の一実施の形態の要部を示す図である。同図において、図６と同一符号は図６を参照して説明した構成要素と同一或いは同等構成要素を示し、その説明は省略する。
【００２９】
この実施の形態においても、図６に示したガス処理装置と同様に、処理対象ガスＧＳの通過方向（ダクト１の入口から出口への方向）に方向に沿って、第１のガス処理ユニットＧＵ１と第２のガス処理ユニットＧＵ２をダクト１内に配置している。
【００３０】
また、ガス処理ユニットＧＵ１の第１の電極９と第２の電極１０との間に導線１２，１３を介して高電圧源１５−１からの高電圧Ｖ１を印加するようにし、ガス処理ユニットＧＵ２の第１の電極１０第２の電極１１との間に導線１３，１４を介して高電圧源１５−２からの高電圧Ｖ２（Ｖ２＞Ｖ１）を印加するようにしている。
【００３１】
また、ダクト１を流れる処理対象ガスＧＳに対して、この処理対象ガスＧＳの状態量（後述）を検出する状態量検出センサ１９を設けている。また、ダクト１に対して、最上流に位置するガス処理ユニットＧＵ１の上流側からダクト１内の空間に水分を供給する水分供給手段として、加湿装置１７を設けている。この加湿装置１７の加湿量は、すなわちダクト１内の空間への水分の供給量は、制御部１８によって調整（制御）されるようになっている。
【００３２】
制御部１８は、プロセッサや記憶装置からなるハードウェアと、これらのハードウェアと協働して各種機能を実現させるプログラムとによって実現され、上述した加湿装置１７における加湿量の調整機能を有している。以下、この制御部１８が有する加湿量の調整機能について、図２および図３，図４に示すフローチャートを用いて説明する。
【００３３】
〔ガス処理ユニットの消費電力に基づく加湿量の調整機能（図２）〕
制御部１８は、ガス処理ユニットＧＵ１の高電圧源１５−１が電極９，１０間に印加している現在の電圧Ｖ１の値および電極９，１０間に供給している現在の電流Ｉ１を検出し（ステップＳ１０１）、この電圧Ｖ１，電流Ｉ１の値からガス処理ユニットＧＵ１の現在の消費電力ＰＷ１を求める（ステップＳ１０２）。
【００３４】
次に、制御部１８は、ガス処理ユニットＧＵ２の高電圧源１５−２が電極１０，１１間に印加している現在の電圧Ｖ２の値および電極１０，１１間に供給している現在の電流Ｉ２を検出し（ステップＳ１０３）、この電圧Ｖ２，電流Ｉ２の値からガス処理ユニットＧＵ２の現在の消費電力ＰＷ２を求める（ステップＳ１０４）。
【００３５】
そして、制御部１８は、この求めたガス処理ユニットＧＵ１の消費電力ＰＷ１とガス処理ユニットＧＵ２の消費電力ＰＷ２とが等しくなるように、加湿装置１７の加湿量を調整する（ステップＳ１０５）。制御部１８は、このステップＳ１０１〜Ｓ１０５の処理動作を繰り返す。
【００３６】
このガス処理装置では、下流側に位置するガス処理ユニットＧＵ２の高電圧源１５−２が印加する電圧Ｖ２の値が、上流側に位置するガス処理ユニットＧＵ１の高電圧源１５−１が印加する電圧Ｖ１の値よりも高くされている。また、加湿装置１７の加湿量は一定ではなく、ガス処理ユニットＧＵ１の消費電力ＰＷ１とガス処理ユニットＧＵ２の消費電力ＰＷ２とが等しくなるように制御される。これにより、ガス処理ユニットＧＵ１，ＧＵ２のプラズマの発生状況の格差が大幅に解消され、ガス処理ユニットＧＵ１，ＧＵ２のガス処理能力が平準化され、ガス処理能力の過剰、不足によって生じる問題が緩和されるものとなる。
【００３７】
〔処理対象ガスの状態量に基づく加湿量の調整機能〕
制御部１８は、状態量検出センサ１９が検出する処理対象ガスＧＳの現在の状態量に基づいて、加湿装置１７の加湿量を調整する。
【００３８】
〔例１：状態量を流量（流速）とした場合（図３）〕
先ず、例１として、状態量検出センサ１９が検出する処理対象ガスＧＳの現在の状態量を流量（流速）とした場合について、図３に示すフローチャートを用いて説明する。
【００３９】
制御部１８は、状態量検出センサ１９が検出する処理対象ガスＧＳの現在の流量（流速）が変化すると（ステップＳ２０１のＹＥＳ）、その変化が増大方向への変化であるのか減少方向への変化であるのかをチェックする（ステップＳ２０２）。
【００４０】
ここで、流量（流速）の変化が増大方向への変化であれば（ステップＳ２０２の「増大」）、制御部１８は、加湿装置１７の加湿量を増大させる（ステップＳ２０３）。これにより、ガス処理ユニットＧＵ（ＧＵ１，ＧＵ２）のガス処理能力が増大し、ガス処理ユニットＧＵ（ＧＵ１，ＧＵ２）の処理能力の不足を回避することが可能となる。
【００４１】
これに対し、流量（流速）の変化が減少方向への変化であれば（ステップＳ２０２の「減少」）、制御部１８は、加湿装置１７の加湿量を減少させる（ステップＳ２０４）。これにより、ガス処理ユニットＧＵ（ＧＵ１，ＧＵ２）のガス処理能力が低下し、ガス処理ユニットＧＵ（ＧＵ１，ＧＵ２）の処理能力の過剰を回避することが可能となる。すなわち、処理能力が過剰となることによって、異常放電が発生したり、オゾンの発生量が増大することを回避することが可能となる。
【００４２】
〔例２：状態量を濃度とした場合（図４）〕
次に、例２として、状態量検出センサ１９が検出する処理対象ガスＧＳの現在の状態量を濃度とした場合について、図４に示すフローチャートを用いて説明する。
【００４３】
制御部１８は、状態量検出センサ１９が検出する処理対象ガスＧＳの現在の濃度が変化すると（ステップＳ３０１のＹＥＳ）、その変化が増大方向への変化であるのか減少方向への変化であるのかをチェックする（ステップＳ３０２）。
【００４４】
ここで、濃度の変化が増大方向への変化であれば（ステップＳ３０２の「増大」）、制御部１８は、加湿装置１７の加湿量を増大させる（ステップＳ３０３）。これにより、ガス処理ユニットＧＵ（ＧＵ１，ＧＵ２）のガス処理能力が増大し、ガス処理ユニットＧＵ（ＧＵ１，ＧＵ２）の処理能力の不足を回避することが可能となる。
【００４５】
これに対し、濃度の変化が減少方向への変化であれば（ステップＳ３０２の「減少」）、制御部１８は、加湿装置１７の加湿量を減少させる（ステップＳ３０４）。これにより、ガス処理ユニットＧＵ（ＧＵ１，ＧＵ２）のガス処理能力が低下し、ガス処理ユニットＧＵ（ＧＵ１，ＧＵ２）の処理能力の過剰を回避することが可能となる。すなわち、処理能力が過剰となることによって、異常放電が発生したり、オゾンの発生量が増大することを回避することが可能となる。
【００４６】
なお、上述した実施の形態では、状態量検出センサ１９が検出する処理対象ガスＧＳの現在の状態量を流量（流速）や濃度としたが、状態量検出センサ１９が検出する処理対象ガスＧＳの現在の状態量は流量（流速）や濃度に限られるものでないことは言うまでもない。
【００４７】
また、上述した実施の形態において、電極１０はガス処理ユニットＧＵ１の第２の電極とガス処理ユニットＧＵ２の第１の電極とを兼ねた共通電極とされているが、ガス処理ユニットＧＵ１の第２の電極とガス処理ユニットＧＵ２の第１の電極とを独立した電極とするようにしてもよい。
【００４８】
また、上述した実施の形態において、ハニカム構造体８はオゾンを分解する触媒機能を備えたものとしてもよく、処理対象ガスＧＳの通過方向の下流位置にオゾンを分解する触媒を設けるようにしてもよい。
【００４９】
また、上述した実施の形態では、ガス処理ユニットの数を２つとしたが、さらにその数を増やすようにしてもよい。また、ガス処理ユニット内のハニカム構造体の数は２つに限られるものではなく、さらにその数を増やしてもよい。また、ガス処理ユニットの数は必ずしも複数でなくてもよく、１つであっても構わない。
【００５０】
ガス処理ユニットの数を増やす場合には、各ガス処理ユニットは、上流側から下流側に位置するガス処理ユニットほど、そのガス処理ユニットの高電圧源が印加する電圧の値を高くするようにする。また、各ガス処理ユニットの消費電力が等しくなるように、加湿装置の加湿量を調整するようにする。あるいは加湿装置の加湿量の調整に加えて、最上流に位置するガス処理ユニットの高電圧源が印加する電圧の値を調整するようにする。
【００５１】
また、上述した実施の形態において、副生成物としてオゾンを大量に発生させ、オゾン発生器として転用するようにしてもよい。
【産業上の利用可能性】
【００５２】
本発明のガス処理装置は、燃料電池等に用いられる水素を効率的に生成する目的で、炭化水素類等から水素含有ガスを生成する、いわゆる改質にも適用することができる。例えばオクタン（ガソリンの平均分子量に比較的近い物質）Ｃ8Ｈ18の場合は、本ガス処理装置に供給すると下記（１）式で示される化学反応が促進され、その結果水素ガスを効率よく生成することができる。
Ｃ8Ｈ18＋８Ｈ2Ｏ＋４（Ｏ2＋４Ｎ2）→８ＣＯ2＋１７Ｈ2＋１６Ｎ2・・・・（１）
【符号の説明】
【００５３】
１…ダクト、８（８−１〜８−４）…ハニカム構造体、８ａ…貫通孔（セル）、８Ａ，８Ｂ…ハニカム構造体群、９，１０，１１…電極、１２，１３，１４…導線、１５（１５−１，１５−２）…高電圧源、１６（１６−１，１６−２）…空間、１７…加湿装置、１８…制御部、１９…状態量検出センサ、Ｇ（Ｇ１，Ｇ２）…間隔、ＧＵ（ＧＵ１，ＧＵ２）…ガスユニット、ＧＳ…処理対象ガス。
【図１】
2012213720.tif 000003
【図２】
2012213720.tif 000004
【図３】
2012213720.tif 000005
【図４】
2012213720.tif 000006
【図５】
2012213720.tif 000007
【図６】
2012213720.tif 000008